(57)【要約】【課題】  ガス、水道、電力等メータの検針では、通常は予備の電池とロール状感熱紙も携帯しないで検針を行うことが多いが、検針の途中で電池又はロール状感熱紙のいずれか一方でも使い切れとなると検針作業が出来なくなり、電池又はロール状感熱紙の補充を行わなければならず、余計な時間と労力を使うことになる問題があった。【解決手段】  本発明は、ロール状感熱紙の収納部の側面に、ロール状感熱紙の残量を確認するのぞき窓を設けると共に、カバーの上面に電池残量検出手段の出力の表示を行う表示パネルを設けた携帯用プリンターを実現することにより問題点を解決したものである。【選択図】              図１
2005297477.tif 000002
【特許請求の範囲】
【請求項１】
ベースにロール状感熱紙の収納部とロール状感熱紙を搬送するプラテンローラと駆動用電池を備え、該ベースに開閉可能に結合されたカバーを有する携帯用プリンターにおいて、
前記ベースのロール状感熱紙の収納部の側面に、ロール状感熱紙の端面を観測してロール状感熱紙の残量を確認するのぞき窓を設けると共に、電池の残量を計測する電池残量検出手段を設け、
前記カバーの上面に電池残量検出手段の出力の表示を行う表示パネルを設けたことを特徴とする携帯用プリンターの記録紙及び電池の残量表示装置。
【請求項２】
請求項1において、電池残量検出手段の出力の表示を行う表示パネルの表示方法は、
1.      ＯＫ：電池の残量が充分にある。
2.      注意：電池の残量が残り少ない。
3.      交換：電池切れ。携帯用プリンターを使用するには電池交換が必要。
の3段階の表示を行うようにしたことを特徴とする携帯用プリンターの記録紙及び電池の残量表示装置。
【発明の詳細な説明】
【技術分野】
【０００１】
本発明は、ガス、水道、電力等の使用量を示す各種メータの検針を行うハンディターミナルと共に使用される携帯用プリンターの記録紙及び電池の残量表示装置に関するものである。
【背景技術】
【０００２】
最近、ガス、水道、電力等メータの検針にハンディターミナルが広く使用されるようになった。このハンディターミナルはガス、水道、電力等の使用量を検針しその結果を現場で携帯用プリンターによりお知らせ票、使用料金の銀行口座からの自動引落の領収書等としてプリントして使用者に渡すようにしている。
ハンディターミナルの携帯用プリンターの電源には電池が使用されているが、常時携帯して使用するためその重量を軽くしなければならないので大きな容量の電池は使用できない。又、ハンディターミナルと共に使用される携帯用プリンターは、構成が簡単で小型化が容易なラインサーマルプリンタが使用され、給紙効率を高めるためロール状に巻き付けられた長尺紙のロール状感熱紙が用いられており、プリントの後で適当な長さにカットされるが、プリンターが小型であるためロール状感熱紙もあまり大きな容量のものは使用されていない。
このため、ハンディターミナルを使用する検針者は、常に予備の電池とロール状感熱紙をバックの中に準備して徒歩又は自転車にて検針作業を行っている。
【０００３】
【特許文献１】特開平１１−３２２１２１５号公報，
【特許文献２】特開２０００−１６９０１２号公報，
【特許文献３】特開２０００−１２７５７６号公報
【発明の開示】
【発明が解決しようとする課題】
【０００４】
徒歩又は自転車による検針では、ハンディターミナルと携帯用プリンター以外のものを持ち歩くことは大変であるが、通常は予備の電池とロール状感熱紙も携帯して検針を行っている。
検針の途中で電池又はロール状感熱紙のいずれか一方でも使い切れとなると検針作業が出来なくなるで、常に予備のロール状感熱紙と電池を多く持ち歩いている。集合住宅マンション等で一度に多くのプリントを行う場合等に、携帯用プリンターに装填されたロール状感熱紙や電池の残量がわからないと、プリントアウトの途中で電池又はロール状感熱紙が使い切れになることがあり、電池又はロール状感熱紙の補充に余計な時間と労力を使うことになる。
このため、検針者より携帯用プリンターのロール状感熱紙及び電池の残量を簡単に知る方法の実現が強く求められている。
【課題を解決するための手段】
【０００５】
本発明は、ベースにロール状感熱紙の収納部とロール状感熱紙を搬送するプラテンローラと駆動用電池を備え、ベースに開閉可能に結合されたカバーを有する携帯用プリンターにおいて、前記ベースのロール状感熱紙の収納部の側面に、ロール状感熱紙の端面を観測してロール状感熱紙の残量を確認するのぞき窓を設けると共に、電池の残量を計測する電池残量検出手段を設け、カバーの上面に電池残量検出手段の出力の表示を行う表示パネルを設けた携帯用プリンターの記録紙及び電池の残量表示装置を実現したものである。
携帯用プリンターをこのように構成することにより、いつでも、検針者はのぞき窓を通してサーマル用紙のロール紙の端面を観測し、カバーの上面に表示パネルをチェックするだけで、これから検針作業を行う途中で紙切れや電池切れとならないかどうか容易に判断することができるようにして問題を解決したものである。
【発明の効果】
【０００６】
本発明の携帯用プリンターの記録紙及び電池の残量表示装置は、携帯用プリンターに装填されたロール状感熱紙をプリンターから取り出すことなくその残量を観察することが出来、また、電池の残量を簡単に知ることが出来る。
このため、検針の途中で電池又はロール状感熱紙の使い切れとなるがどうかの判断を事前に行うことが容易に出来るため、突然の電池又はロール紙の使い切れにより検針作業が出来なくなることを回避出来るので、事務所または自宅まで戻って電池又はロール紙の補充を行わなければなら無い事態が発生するのを防止出来、効率的な仕事が出来るので余計な時間と労力を使うことが無くなる。
【発明を実施するための最良の形態】
【０００７】
図１は、本発明の携帯用プリンターの記録紙及び電池の残量表示装置の構成を説明する図である。
図1において、（ａ）は本発明の携帯用プリンターのカバーを開いた状態の斜視図、（ｂ）は本発明の携帯用プリンターのベースの底面の斜視図を示す。
図1の（ａ）、（ｂ）において、１０は本発明の携帯用プリンターのカバー、２０は本発明の携帯用プリンターのベースである。
ベース１０とカバー２０はヒンジにより開閉可能に結合されている。
２１はベース２０のロール状感熱紙の収納部、２２はロール状感熱紙である。
２３はサーマルプリント用紙の収納部２１の側面に設けられたのぞき窓である。のぞき窓２３は、ロール状感熱紙２２の端面を観測してロール状感熱紙２２の残量を確認する。
２４は本発明の携帯用プリンターを駆動する電池である。電池２４はベース２０の底面に着脱可能に収納されている。
【０００８】
２５は電池の残量を計測する電池残量検出手段である。電池残量検出手段２５は電池２４の電圧を測定し電池の残量の信号を発生する。本実施例においては電池残量検出手段２５は電池２４に近接して配置されている例を示したが、携帯用プリンター適当な位置に設置することが可能である。
１１は電池残量検出手段の出力の表示を行う表示パネルである。表示パネル１１はＬＥＤが使用され、カバー１０の上面に設置されている。
携帯用プリンターを使用する時には、カバー２０を開きロール状感熱紙の収納部２１にロール状感熱紙を装填しカバー２０を閉じる。
この状態で、表示パネル１１に電池の残量が表示され、又、のぞき窓２３よりロール状感熱紙２２の残量を確認することが出来る。
【０００９】
表示パネル１１に電池の残量が表示方法は、使用者にわかり易い、次の3段階の表示が行われる。
１.ＯＫ：電池の残量が充分にある。
２.注意：電池の残量が残り少ない。
３.交換：電池切れ。携帯用プリンターを使用するには電池交換が必要。
検針者は、徒歩により検針を行う場合には、表示パネル１１に電池の残量が表示をチェックし、その表示内容が注意又は交換の場合には、新しい電池と交換する。
又、のぞき窓２３よりロール状感熱紙２２の残量を確認し、徒歩により検針を行う件数で使用するだけのロール状感熱紙が有るか否かをチェックし、不十分であると判断した場合は新しいロール状感熱紙と交換する。
このような手続きをあらかじめ行っておくことにより、徒歩又は自転車による検針を行う過程において突然の電池又はロール紙の使い切れにより検針作業が出来なくなることを回避出来るので、効率的な仕事が出来るので余計な時間と労力を使うことが無くなる。
【産業上の利用可能性】
【００１０】
本発明は  使用量を示す各種メータの検針を行うガス、水道、電力等の産業で利用可能である。
【図面の簡単な説明】
【００１１】
【図１】図１は、本発明の携帯用プリンターの記録紙及び電池の残量表示装置の構成を説明する図である。
【符号の説明】
【００１２】
１０・・・携帯用プリンターのカバー、
11・・・電池残量検出手段の出力の表示を行う表示パネル、
２０・・・携帯用プリンターのベース
21・・・ベース20のロール状感熱紙の収納部、
22・・・ロール状感熱紙、
23・・・サーマルプリント用紙の収納部に設けられたのぞき窓、
24・・・携帯用プリンターを駆動する電池、
25・・・電池の残量を計測する電池残量検出手段、
【図１】
2005297477.tif 000003